(57)【要約】【課題】テレビ番組、又はラジオ番組を視聴している出演者（個人、複数人）の様子の映像をウェブサイトを通して、テレビ局名、ラジオ局名、テレビ番組名、ラジオ番組名、出演者名一覧により、快適に選択、又は予約して、リアルタイムに視聴できるようなリアルタイムワイプ映像配信システムを提供する。【解決手段】テレビ番組、又はラジオ番組を視聴している出演者（個人、複数人）の様子を撮影するビデオカメラを接続した端末から、電話回線、又はケーブル、又は専用線を使用して、インターネット経由で動画、及び音声をアップロードする。鑑賞する人は、ウェブサイトのホームページを開いて、テレビ局名、ラジオ局名、テレビ番組名、ラジオ番組名、出演者名一覧により、快適に選択、又は予約することにより、ライブ中継機能を備えたサーバーから、又はウェブライブ動画配信業者（例えば、ＵｓｔｒｅｍやＹｏｕ  Ｔｕｂｅ）を通して、アップロードされた動画、及び音声を受信し、リアルタイムに視聴の様子を鑑賞することができる。【選択図】図１
2014239408.tif 000002
【特許請求の範囲】
【請求項１】
ＰＣ端末、携帯端末、及びデジタルテレビがインターネットに接続され、テレビ番組又はラジオ番組を視聴している出演者（個人、複数人）の様子の映像を、ライブ中継機能を備えたサーバー、又はウェブライブ動画配信業者へアップロードし、その映像をウェブサイトを介して、ライブ中継機能を備えたサーバー、又はウェブライブ動画配信業者を通してリアルタイムに鑑賞するためのワイプ映像配信システムであって、前記インターネットには、テレビ番組又は、ラジオ番組を視聴している出演者（個人、複数人）の様子を撮影しているビデオカメラに接続している端末と、鑑賞するユーザーの端末が接続されウェブサイトを介して行われることを特徴とするリアルタイムワイプ映像配信システム。
【請求項２】
前記ウェブサイトには、テレビ局（ラジオ局）名一覧、又はテレビ番組（ラジオ番組）名一覧、又は出演者名一覧を表示し、容易に鑑賞したい映像を選択、又は予約できる機能を持つことを特徴とする請求項１に記載のリアルタイムワイプ映像配信システム。
【請求項３】
前記ウェブサイトには、テレビ局（ラジオ局）名別の出演者名一覧、又はテレビ番組（ラジオ番組）名別の出演者名一覧、又は出演者名別の時間帯別テレビ局（ラジオ局）名一覧、又は出演者名別のテレビ番組（ラジオ番組）名一覧を表示し、容易に鑑賞したい映像を選択、又は予約できる機能を持つことを特徴とする請求項１に記載のリアルタイムワイプ映像配信システム。
【請求項４】
前記ウェブサイトには、映像タイトルに出演者名と視聴しているテレビ局（ラジオ局）名の両方を含む、又は出演者名と視聴しているテレビ番組（ラジオ番組）名の両方を含むことを特徴とする請求項１に記載のリアルタイムワイプ映像配信システム。
【発明の詳細な説明】
【技術分野】
【０００１】本発明は、端末、携帯電話などのモバイル機器、デジタルテレビがインターネットに接続されたウェブ環境において、テレビ番組、又はラジオ番組を視聴している出演者（個人、複数人）の様子をテレビのすみのワイプ画面のように、ビデオカメラにより撮影された映像をライブ中継機能を備えたサーバー、又はウェブライブ動画配信業者（例えば、ＵｓｔｒｅｍやＹｏｕ  Ｔｕｂｅ）を通すことにより、リアルタイムに鑑賞でき、その映像選択をウェブサイトのテレビ局（ラジオ局）名、テレビ番組（ラジオ番組）名、出演者名一覧により行えることができるリアルタイムワイプ映像配信システムに関する。
【背景技術】
【０００２】従来は、テレビ番組（ラジオ番組）の感想をリアルタイムに公開するには、メールやリアルチャット、ボイスメッセージ等タイミングが遅れたり、手間がかかったり、複数人でのやりとりの場合どの人の言葉かわからなかったり、公開者が番組に集中できない等の問題があった。
更に、顔の表情や体の表現などが伝わらないという問題があった。しかし、インターネットによる情報伝達量は拡大基調にあり、動画技術も発達している。
従来技術に基づく特許出願には、特許文献１がある。【０００３】特許文献１は、メッセージ書き込みがあった時、メール、リアルチャット、ボイスメッセージの手法を選んで掲示板情報を表示させるコミュミケーションサービスシステムに関するものである。しかしながら、この出願では、快適に、連続的に、表現力豊かに感想を伝えられないという問題があった。【０００４】
【特許文献１】特開２００２−００７２７２号公報
【発明の概要】
【発明が解決しようとする課題】
【０００５】本発明は、この点に鑑みてなされたものであって、ウェブサイトとテレビの融合技術の進展に供ない、ＰＣ端末、携帯電話などのモバイル機器、デジタルテレビを通じて、リアルタイムで、テレビ番組（ラジオ番組）視聴の感想やリアクションを表現豊かに、言葉や動作で伝える映像をテレビ（ラジオ）番組や出演者をウェブサイトを通じて、快適に選択して、提供することを目的としている。
このウェブサイトの運営は、スポンサーによって支払われる広告収入による。
【課題を解決するための手段】
【０００６】上記目的を解決するため、本発明のリアルタイムワイプ映像配信システムは、ＰＣ端末、携帯端末、及びデジタルテレビがインターネットに接続され、テレビ番組又はラジオ番組を視聴している出演者（個人、複数人）の様子の映像を、ライブ中継機能を備えたサーバー、又はウェブライブ動画配信業者へアップロードし、その映像をウェブサイトを介して、ライブ中継機能を備えたサーバー、又はウェブライブ動画配信業者を通してリアルタイムに鑑賞するためのワイプ映像配信システムであって、前記インターネットには、テレビ番組又は、ラジオ番組を視聴している出演者（個人、複数人）の様子を撮影しているビデオカメラに接続している端末と、鑑賞するユーザーの端末が接続されウェブサイトを介して行われることを特徴とする。【０００７】また、請求項１に記載のリアルタイムワイプ映像配信システムであって、前記ウェブサイトには、テレビ局（ラジオ局）名一覧、又はテレビ番組（ラジオ番組）名一覧、又は出演者名一覧を表示し、容易に鑑賞したい映像を選択、又は予約できる機能を持つことを特徴とする。【０００８】また、請求項１に記載のリアルタイムワイプ映像配信システムであって、前記ウェブサイトには、テレビ局（ラジオ局）名別の出演者名一覧、又はテレビ番組（ラジオ番組）名別の出演者名一覧、又は出演者名別の時間帯別テレビ局（ラジオ局）名一覧、又は出演者名別のテレビ番組（ラジオ番組）名一覧を表示し、容易に鑑賞したい映像を選択、又は予約できる機能を持つことを特徴とする。【０００９】また、請求項１に記載のリアルタイムワイプ映像配信システムであって、前記ウェブサイトには、映像タイトルに出演者名と視聴しているテレビ局（ラジオ局）名の両方を含む、又は出演者名と視聴しているテレビ番組（ラジオ番組）名の両方を含むことを特徴とする。
【発明の効果】
【００１０】テレビ（ラジオ）番組を視聴している出演者にとって、ＰＣ端末、携帯電話などのモバイル機器、デジタルテレビを通じた視聴の様子の放映は、ファンの方々や友人への１つの表現の舞台、そして、もう１つの活躍の場となり、鑑賞したいファンや友人にとっては、リアルタイムに、リアルなリアクションを見ることができる手段となる。また、文字のみでは表現できない声のトーンや、顔の表情、しぐさを伝えることができる。また、複数人でのやりとりも言葉をさがさせずに快適に伝えることができる。そして、テレビ（ラジオ）番組視聴のワイプ映像配信のポータルサイトとしての役割をはたす事ができ、テレビ（ラジオ）視聴中にも広告収入が発生する経済効果も期待できる。
【図面の簡単な説明】
【００１１】
【図１】本実施の形態におけるリアルタイムワイプ映像配信システムの構成図である。
【発明を実施するための形態】
【００１２】本発明のウェブサイトを介在したリアルタイムワイプ映像配信システムの詳細について、図面を参照に説明する。
図１は、本システムの構成図であり、３のビデオカメラを、４の端末に接続し、２のテレビ又はラジオを視聴している１の出演者（達）を撮影する。３のビデオカメラを接続した４の端末から、７のインターネットを経由して、動画及び音声を送る。その際、６のライブ中継機能を備えたサーバーへ、又は８のウェブライブ映像配信業者へ動画及び音声をアップロードする。１２の鑑賞する人は、１３のテレビといっしょに、９のＰＣ端末、又は１０の携帯電話等のモバイル機器、又は１１のデジタルテレビによって、１の出演者（達）の様子をリアルタイムに見る事ができる。その映像の選択は、５のウェブサイトによって、テレビ局名、ラジオ局名、テレビ番組名、ラジオ番組名、出演者名一覧から快適に選択又は予約することができる。
【符号の説明】
【００１３】１．視聴している出演者（出演者達）
２．テレビ（出演者用）
３．ビデオカメラ
４．端末
５．ウェブサイト
６．ライブ中継機能付サーバー
７．インターネット
８．ウェブライブ動画配信業者
９．ＰＣ端末
１０．携帯電話等モバイル機器
１１．デジタルテレビ（インターネット機能付）
１２．ユーザー、鑑賞者
１３．テレビ（ユーザー用）
【図１】
2014239408.tif 000003